(57)【特許請求の範囲】
【請求項１】
フック杆などの掛杆部材を上下に連結した構成とした掛具であって、少なくとも一方の樹脂製の筒状部材に一方の掛杆部材を設け、この一方の筒状部材に挿入し得る形状に形成した他方の樹脂製の係合部材に他方の掛杆部材を設け、前記筒状部材は、連結側が開口し反対側に底部を有する円筒状体に構成され、この筒状部材の底部に前記一方の掛杆部材が設けられ、前記係合部材は、連結側が開口し反対側に底部を有する円筒状体に構成され、この係合部材の底部に前記他方の掛杆部材が設けられ、少なくとも前記一方の掛杆部材若しくは前記他方の掛杆部材のいずれか一方は自転回動自在に前記筒状部材若しくは前記係合部材に設けられ、この筒状部材の周面部に係合孔縁部を開口形成し、前記係合部材の周面部に前記係合孔縁部に係止する係合突起を突設して嵌合係止構造を設け、この係合突起を設けた係合部材の周面部に、連結側開口部から内方側へ向かってこの係合突起が撓み微動することを許容する割溝を対向形成し、この係合突起は、連結側からこの連結側の反対側へ向かって係合突起を設けた前記係合部材の外面に対して徐々に突出度を増すテーパ面を有し且つ外側端には係止段面を有するテーパ突起形状に形成し、この筒状部材と係合部材とを互いに上下から差し込み嵌合した際前記係合部材が撓み微動することで、前記嵌合係止構造の係合孔縁部に係合突起が嵌合し、前記筒状部材と前記係合部材とを嵌合係止固定して、少なくともいずれか一方の掛杆部材が自転回動自在となるように構成したことを特徴とする掛具。
【請求項２】
フック杆などの掛杆部材を上下に連結した構成とした掛具であって、少なくとも一方の樹脂製の筒状部材に一方の掛杆部材を設け、この一方の筒状部材に挿入し得る形状に形成した他方の樹脂製の係合部材に他方の掛杆部材を設け、前記筒状部材は、連結側が開口し反対側に底部を有する円筒状体に構成され、この筒状部材の底部に前記一方の掛杆部材の基端部が回動自在にして外方へ抜け止め状態に設けられ、前記係合部材は、連結側が開口し反対側に底部を有する円筒状体に構成され、この係合部材の底部に前記他方の掛杆部材の基端部が回動自在にして外方へ抜け止め状態に設けられ、この筒状部材の周面部の対向する二箇所に係合孔縁部を開口形成し、前記係合部材の周面部に前記係合孔縁部に夫々係止する係合突起を突設して嵌合係止構造を設け、この係合突起を設けた係合部材の周面部に、連結側開口部から内方側へ向かってこの係合突起が撓み微動することを許容する割溝を対向形成し、この係合突起は、連結側からこの連結側の反対側へ向かって係合突起を設けた前記係合部材の外面に対して徐々に突出度を増すテーパ面を有し且つ外側端には係止段面を有するテーパ突起形状に形成し、この筒状部材と係合部材とを互いに上下から差し込み嵌合した際前記係合部材が撓み微動することで、前記嵌合係止構造の係合孔縁部に係合突起が嵌合し、前記筒状部材と前記係合部材とを嵌合係止固定して、掛杆部材が夫々自転回動自在となるように構成したことを特徴とする掛具。
【請求項３】
フック杆などの掛杆部材を上下に連結した構成とした掛具であって、一方の樹脂製の筒状部材に一方の掛杆部材を設け、この一方の筒状部材に挿入し得る形状に形成した他方の樹脂製の係合部材に他方の掛杆部材を設け、前記筒状部材は、連結側が開口し反対側に底部を有する筒状体に構成され、この筒状部材の底部に前記一方の掛杆部材が設けられ、前記係合部材は、連結側が開口し反対側が折り返し部に設定された断面略Ｕ字状の折り返し帯板状に構成され、この係合部材の折り返し部に前記他方の掛杆部材が設けられ、少なくとも前記一方の掛杆部材若しくは前記他方の掛杆部材のいずれか一方は自転回動自在に前記筒状部材若しくは前記係合部材に設けられ、この筒状部材の周面部に係合孔縁部を開口形成し、前記係合部材の弾性可動自在なＵ字状辺部に前記係合孔縁部に係止する係合突起を突設して嵌合係止構造を設け、この係合突起は、連結側からこの連結側の反対側へ向かって係合突起を設けた前記係合部材の外面に対して徐々に突出度を増すテーパ面を有し且つ外側端には係止段面を有するテーパ突起形状に形成し、この筒状部材と係合部材とを互いに上下から差し込み嵌合した際前記Ｕ状片部が弾性可動することで、前記嵌合係止構造の係合孔縁部に係合突起が嵌合し、前記筒状部材と前記係合部材とを嵌合係止固定して、前記掛杆部材を上下に連結した構成としたことを特徴とする掛具。
【請求項４】
フック杆などの掛杆部材を夫々回動自在に連結した構成とした掛具であって、一方の樹脂製の筒状部材に一方の掛杆部材を設け、この一方の筒状部材に挿入し得る形状に形成した他方の樹脂製の係合部材に他方の掛杆部材を設け、前記筒状部材は、連結側が開口し反対側に底部を有する筒状体に構成され、この筒状部材の底部に前記一方の掛杆部材の基端部が回動自在にして外方へ抜け止め状態に設けられ、前記係合部材は、連結側が開口し反対側が折り返し部に設定された断面略Ｕ字状の折り返し帯板状に構成され、この係合部材の折り返し部に前記他方の掛杆部材が自転回動自在若しくは揺動回動自在に設けられ、この筒状部材の周面部の対向する二箇所に係合孔縁部を開口形成し、前記係合部材の弾性可動自在なＵ字状辺部に前記係合孔縁部に夫々係止する係合突起を突設して嵌合係止構造を設け、この係合突起は、連結側からこの連結側の反対側へ向かって係合突起を設けた前記係合部材の外面に対して徐々に突出度を増すテーパ面を有し且つ外側端には係止段面を有するテーパ突起形状に形成し、この筒状部材と係合部材とを互いに上下から差し込み嵌合した際前記Ｕ状片部が撓み微動することで、前記嵌合係止構造の係合孔縁部に係合突起が嵌合し、前記筒状部材と前記係合部材とを嵌合係止固定して、前記一方の掛杆部材が回動自在にとなるように構成したことを特徴とする掛具。
【請求項５】
フック杆などの掛杆部材を夫々回動自在に連結した構成とした掛具であって、一方の樹脂製の筒状部材に一方の掛杆部材を設け、この一方の筒状部材に挿入し得る形状に形成した他方の樹脂製の係合部材に他方の掛杆部材を設け、前記筒状部材は、連結側が開口し反対側に底部を有する筒状体に構成され、この筒状部材の底部に前記一方の掛杆部材の基端部が回動自在にして外方へ抜け止め状態に設けられ、前記係合部材は、連結側が開口し反対側が折り返し部に設定された断面略Ｕ字状の折り返し帯板状に構成され、この係合部材の折り返し部に前記他方の掛杆部材が揺動回動自在に設けられ、この筒状部材の周面部の対向する二箇所に係合孔縁部を開口形成し、前記係合部材の弾性可動自在なＵ字状辺部に前記係合孔縁部に夫々係止する係合突起を突設して嵌合係止構造を設け、この係合突起は、連結側からこの連結側の反対側へ向かって係合突起を設けた前記係合部材の外面に対して徐々に突出度を増すテーパ面を有し且つ外側端には係止段面を有するテーパ突起形状に形成し、この筒状部材と係合部材とを互いに上下から差し込み嵌合した際前記Ｕ状片部が撓み微動することで、前記嵌合係止構造の係合孔縁部に係合突起が嵌合し、前記筒状部材と前記係合部材とを嵌合係止固定して、前記一方の掛杆部材が回動自在にとなるように構成し、前記他方の掛杆部材が揺動回動自在となるように構成したことを特徴とする掛具。
【発明の詳細な説明】
【０００１】
【発明の属する技術分野】
本発明は、フック杆などの折曲棒状若しくは折曲管状の掛杆部材１，２を例えば回動自在に上下に連結した構成とした掛具であって、例えば一方の掛杆部材を物干ポール，壁，長押あるいは係止網などの係止部に引っ掛けて吊り下げ、他方の掛杆部材に吊下物若しくは吊下物のフック，吊輪あるいは吊孔を引っ掛けて吊り下げるように使用するものに関するものである。
【０００２】
【従来の技術及び発明が解決しようとする課題】
例えば上下の掛杆部材が互いに回動自在であると、係止部の状況や吊下物の吊り下げたい向きなどに対応できるので非常に便利となるが、従来この掛杆部材を上下に連結する構成とすることは、構造が複雑となったり、組み付け製作が厄介となり量産性に劣ったり、コスト高となるなど様々な問題があり、実用性に劣る問題があった。
【０００３】
本発明は、例えば回動自在の掛杆部材を上下に連結した掛具であって、簡易な構成にして組み付け製作も極めて容易で、量産性に秀れ安価な製品を提供できる実用性に秀れた画期的な掛具を提供することを目的としている。
【０００４】
【課題を解決するための手段】
添付図面を参照して本発明の要旨を説明する。
【０００５】
フック杆などの掛杆部材１，２を上下に連結した構成とした掛具であって、少なくとも一方の樹脂製の筒状部材３に一方の掛杆部材１を設け、この一方の筒状部材３に挿入し得る形状に形成した他方の樹脂製の係合部材４に他方の掛杆部材２を設け、前記筒状部材３は、連結側が開口し反対側に底部を有する円筒状体に構成され、この筒状部材３の底部に前記一方の掛杆部材１が設けられ、前記係合部材４は、連結側が開口し反対側に底部を有する円筒状体に構成され、この係合部材４の底部に前記他方の掛杆部材２が設けられ、少なくとも前記一方の掛杆部材１若しくは前記他方の掛杆部材２のいずれか一方は自転回動自在に前記筒状部材３若しくは前記係合部材４に設けられ、この筒状部材３の周面部に係合孔縁部５を開口形成し、前記係合部材４の周面部に前記係合孔縁部５に係止する係合突起６を突設して嵌合係止構造７を設け、この係合突起６を設けた係合部材４の周面部に、連結側開口部から内方側へ向かってこの係合突起６が撓み微動することを許容する割溝11を対向形成し、この係合突起６は、連結側からこの連結側の反対側へ向かって係合突起６を設けた前記係合部材４の外面に対して徐々に突出度を増すテーパ面６Ａを有し且つ外側端には係止段面６Ｂを有するテーパ突起形状に形成し、この筒状部材３と係合部材４とを互いに上下から差し込み嵌合した際前記係合部材４が撓み微動することで、前記嵌合係止構造７の係合孔縁部５に係合突起６が嵌合し、前記筒状部材３と前記係合部材４とを嵌合係止固定して、少なくともいずれか一方の掛杆部材１，２が自転回動自在となるように構成したことを特徴とする掛具に係るものである。
【０００６】
また、フック杆などの掛杆部材１，２を上下に連結した構成とした掛具であって、少なくとも一方の樹脂製の筒状部材３に一方の掛杆部材１を設け、この一方の筒状部材３に挿入し得る形状に形成した他方の樹脂製の係合部材４に他方の掛杆部材２を設け、前記筒状部材３は、連結側が開口し反対側に底部を有する円筒状体に構成され、この筒状部材３の底部に前記一方の掛杆部材１の基端部１Ａが回動自在にして外方へ抜け止め状態に設けられ、前記係合部材４は、連結側が開口し反対側に底部を有する円筒状体に構成され、この係合部材４の底部に前記他方の掛杆部材２の基端部２Ａが回動自在にして外方へ抜け止め状態に設けられ、この筒状部材３の周面部の対向する二箇所に係合孔縁部５を開口形成し、前記係合部材４の周面部に前記係合孔縁部５に夫々係止する係合突起６を突設して嵌合係止構造７を設け、この係合突起６を設けた係合部材４の周面部に、連結側開口部から内方側へ向かってこの係合突起６が撓み微動することを許容する割溝11を対向形成し、この係合突起６は、連結側からこの連結側の反対側へ向かって係合突起６を設けた前記係合部材４の外面に対して徐々に突出度を増すテーパ面６Ａを有し且つ外側端には係止段面６Ｂを有するテーパ突起形状に形成し、この筒状部材３と係合部材４とを互いに上下から差し込み嵌合した際前記係合部材４が撓み微動することで、前記嵌合係止構造７の係合孔縁部５に係合突起６が嵌合し、前記筒状部材３と前記係合部材４とを嵌合係止固定して、掛杆部材１，２が夫々自転回動自在となるように構成したことを特徴とする掛具に係るものである。
【０００７】
また、フック杆などの掛杆部材１，２を上下に連結した構成とした掛具であって、一方の樹脂製の筒状部材３に一方の掛杆部材１を設け、この一方の筒状部材３に挿入し得る形状に形成した他方の樹脂製の係合部材４に他方の掛杆部材２を設け、前記筒状部材３は、連結側が開口し反対側に底部を有する筒状体に構成され、この筒状部材３の底部に前記一方の掛杆部材１が設けられ、前記係合部材４は、連結側が開口し反対側が折り返し部に設定された断面略Ｕ字状の折り返し帯板状に構成され、この係合部材４の折り返し部に前記他方の掛杆部材２が設けられ、少なくとも前記一方の掛杆部材１若しくは前記他方の掛杆部材２のいずれか一方は自転回動自在に前記筒状部材３若しくは前記係合部材４に設けられ、この筒状部材３の周面部に係合孔縁部５を開口形成し、前記係合部材４の弾性可動自在なＵ字状辺部４Ａに前記係合孔縁部５に係止する係合突起６を突設して嵌合係止構造７を設け、この係合突起６は、連結側からこの連結側の反対側へ向かって係合突起６を設けた前記係合部材４の外面に対して徐々に突出度を増すテーパ面６Ａを有し且つ外側端には係止段面６Ｂを有するテーパ突起形状に形成し、この筒状部材３と係合部材４とを互いに上下から差し込み嵌合した際前記Ｕ状片部４Ａが弾性可動することで、前記嵌合係止構造７の係合孔縁部５に係合突起６が嵌合し、前記筒状部材３と前記係合部材４とを嵌合係止固定して、前記掛杆部材１，２を上下に連結した構成としたことを特徴とする掛具に係るものである。
【０００８】
また、フック杆などの掛杆部材１，２を夫々回動自在に連結した構成とした掛具であって、一方の樹脂製の筒状部材３に一方の掛杆部材１を設け、この一方の筒状部材３に挿入し得る形状に形成した他方の樹脂製の係合部材４に他方の掛杆部材２を設け、前記筒状部材３は、連結側が開口し反対側に底部を有する筒状体に構成され、この筒状部材３の底部に前記一方の掛杆部材１の基端部１Ａが回動自在にして外方へ抜け止め状態に設けられ、前記係合部材４は、連結側が開口し反対側が折り返し部に設定された断面略Ｕ字状の折り返し帯板状に構成され、この係合部材４の折り返し部に前記他方の掛杆部材２が自転回動自在若しくは揺動回動自在に設けられ、この筒状部材３の周面部の対向する二箇所に係合孔縁部５を開口形成し、前記係合部材４の弾性可動自在なＵ字状辺部４Ａに前記係合孔縁部５に夫々係止する係合突起６を突設して嵌合係止構造７を設け、この係合突起６は、連結側からこの連結側の反対側へ向かって係合突起６を設けた前記係合部材４の外面に対して徐々に突出度を増すテーパ面６Ａを有し且つ外側端には係止段面６Ｂを有するテーパ突起形状に形成し、この筒状部材３と係合部材４とを互いに上下から差し込み嵌合した際前記Ｕ状片部４Ａが撓み微動することで、前記嵌合係止構造７の係合孔縁部５に係合突起６が嵌合し、前記筒状部材３と前記係合部材４とを嵌合係止固定して、前記一方の掛杆部材１が回動自在にとなるように構成したことを特徴とする掛具に係るものである。
【０００９】
また、フック杆などの掛杆部材１，２を夫々回動自在に連結した構成とした掛具であって、一方の樹脂製の筒状部材３に一方の掛杆部材１を設け、この一方の筒状部材３に挿入し得る形状に形成した他方の樹脂製の係合部材４に他方の掛杆部材２を設け、前記筒状部材３は、連結側が開口し反対側に底部を有する筒状体に構成され、この筒状部材３の底部に前記一方の掛杆部材１の基端部１Ａが回動自在にして外方へ抜け止め状態に設けられ、前記係合部材４は、連結側が開口し反対側が折り返し部に設定された断面略Ｕ字状の折り返し帯板状に構成され、この係合部材４の折り返し部に前記他方の掛杆部材２が揺動回動自在に設けられ、この筒状部材３の周面部の対向する二箇所に係合孔縁部５を開口形成し、前記係合部材４の弾性可動自在なＵ字状辺部４Ａに前記係合孔縁部５に夫々係止する係合突起６を突設して嵌合係止構造７を設け、この係合突起６は、連結側からこの連結側の反対側へ向かって係合突起６を設けた前記係合部材４の外面に対して徐々に突出度を増すテーパ面６Ａを有し且つ外側端には係止段面６Ｂを有するテーパ突起形状に形成し、この筒状部材３と係合部材４とを互いに上下から差し込み嵌合した際前記Ｕ状片部４Ａが撓み微動することで、前記嵌合係止構造７の係合孔縁部５に係合突起６が嵌合し、前記筒状部材３と前記係合部材４とを嵌合係止固定して、前記一方の掛杆部材１が回動自在にとなるように構成し、前記他方の掛杆部材２が揺動回動自在となるように構成したことを特徴とする掛具に係るものである。
【００１０】
【発明の実施の形態】
好適と考える本発明の実施の形態（発明をどのように実施するか）を、図面に基づいてその作用効果を示して簡単に説明する。
【００１１】
一方の掛杆部材１を設けた一方の筒状部材３に係合孔縁部５を、他方の掛杆部材２を設けた他方の係合部材４に係合突起６を設けてこの筒状部材３に対して係合部材４を挿入すると、前記係合孔縁部５に係合突起６が嵌合して前記筒状部材３と係合部材４とを嵌合係止固定できることとなる。
【００１２】
従って、単に筒状部材３に対して係合部材４を挿入するだけで掛杆部材１，２を上下に連結することができる。
【００１３】
また、例えば、前記係合部材４を、前記一方の筒状部材３に挿入し得る断面Ｕ字状に形成した構成とすれば、係合部材４を断面Ｕ字状に形成したことで係合部材４の遊離端部となるＵ状片部４Ａが弾性可動自在となり、これにより、筒状部材３に係合部材４を単に挿入するだけで前記Ｕ状片部４Ａが弾性可動して（即ち撓んで）前記係合孔縁部５に係合突起６が嵌合して前記筒状部材３と係合部材４とが容易に連結されることとなり、よって、秀れた量産性を発揮することができる上、コスト安に実用性に秀れた前記掛杆部材１，２を上下に連結し得る掛具を実現できることとなるなど、一層実用的となる。
【００１４】
【実施例】
本発明の具体的な実施例について図面に基づいて説明する。
【００１５】
図８〜１０に示す第一実施例では、一方の掛杆部材１にフック状の金属製フック杆を採用し、他方の掛杆部材２に左右夫々逆向きにフック部を有した正面視略Ｗ形状の金属製フック杆を採用し、これらフック杆１，２を上下に連結した構成としたものであって、樹脂製の筒状部材３に一方の掛杆部材１の基端部１Ａを回転自在にして外方へ抜け止め状態に設け、樹脂製の係合部材４に他方の掛杆部材２を揺動回動自在に設けた構成としている。そして、この筒状部材３と係合部材４とを互いに上下から差し込み嵌合する形状に構成すると共に、この筒状部材３と係合部材４とのどちらか一方に窓孔を形成して係合孔縁部５を設け、他方に係合突起６を設けて嵌合係止構造７を設けて、筒状部材３と係合部材４とを係合することで嵌合係止構造７の係合孔縁部５に係合突起６が嵌合して嵌合係止固定され筒状部材３と係合部材４とを連結する構成としている。
【００１６】
具体的には、樹脂成形される前記筒状部材３は、連結側が開口し反対側の外方へは挿通孔８を設けた底部９を有する角筒状体に構成し、この挿通孔８に前記掛杆部材１の直杆状の基端部１Ａを挿通配設し、この基端部１Ａに前記挿通孔８を通過できない抜け止め径大部10をプレスなどによって設けて、前記筒状部材３に対して前記掛杆部材１が自転回動自在にして外方へ抜け止め状態となるように構成している。
【００１７】
また、この筒状部材３の連結側の対向する周面部には、窓孔を開口形成して係合孔縁部５を構成している。
【００１８】
即ち、筒状部材３の開口側周面部の対向する二箇所に係合孔縁部５を設けている。
【００１９】
また、この係合孔縁部５は、正面視方形状に開口形成され、後述の係合突起６が良好に嵌合係止し得る大きさに形成した構成としている。
【００２０】
一方、係合部材４は、図９に示すように、前記筒状部材３に差し込み挿入され得る断面略Ｕ字状に形成されている。
【００２１】
具体的には、この係合部材４は所定の幅と厚さを有した折り返し帯状板に形成され、係合部材４の遊離端部となるＵ状片部４Ａは弾性可動自在に構成されている。
【００２２】
この断面Ｕ字状の係合部材４の上部開口側に対して下部折り返し部位側には、他方の掛杆部材２となる前記正面視略Ｗ形状のフック杆が挟持状態で揺動回動自在に設けられている。即ち、他方の掛杆部材２は、係合部材４の折り返し方向に沿って揺動回動し得るように構成されている。つまり、係合部材４は断面Ｕ字状に形成されているため、他方の掛杆部材２を上部開口側から下部折り返し部位へ単に挿入してこの下部折り返し部位において回動自在に挟持固定するだけで係合部材４に他方の掛杆部材２を揺動回動自在に設けることができることになる。尚、本実施例では、係合部材４に他方の掛杆部材２を揺動回動自在に設けた構成としたが、この係合部材４に他方の掛杆部材２を自転回動自在に構成しても良い。即ち、この場合には、断面Ｕ字状に形成した係合部材の折り返し部位に挿通孔を設け、この挿通孔に例えば金属製フック杆の直杆状の基端部を挿通配設し、この基端部に前記挿通孔を通過できない抜け止め径大部をプレスなどによって設けることで、前記係合部材に対して他方の掛杆部材を抜け止め状態で自転回動自在に設けても良い。更に、この際、係合部材の折り返し部位に設ける挿通孔を長孔状に設けることで、前記他方の掛杆部材を係合部材に対して自転回動に加えて揺動回動自在となるように構成しても良い。
【００２３】
前記係合部材４のＵ状片部４Ａの外面部には、前記係合孔縁部５に嵌合し得る係合突起６が設けられた構成としている。
【００２４】
具体的には、この係合突起６は、図９に示すように、断面Ｕ字状の係合部材４の遊離端部の外面側に夫々設けられ、上部開口側から下部折り返し部位側に向けて前記係合部材４の外面部に対して徐々に突出度を増すテーパ面６Ａを有し且つ外側端には前記係合孔縁部５に抜け止め係止する係止断面６Ｂを有するテーパ突起形状に形成している。即ち、係合突起６は、係合部材４の外面に対して略垂直に立ち上がる突出面を一辺とする断面略直角三角形状に形成されている。
【００２５】
上記構成によれば、前記筒状部材３の開口部に前記係合部材４をこの係合部材４の上部開口側から挿入すると、係合部材４のＵ状片部４Ａに設けた係合突起６のテーパ面６Ａが筒状部材３の開口周縁部に当接し、この状態から更に係合部材４を押動することで、係合部材４の外面に対して徐々に突出度を増す係合突起６のテーパ面６Ａが係合部材４のＵ状片部４Ａを内面側に徐々に撓ませ、筒状部材３の係合孔縁部５の形成位置に係合突起６が達した際に、係合部材４のＵ状片部４Ａが撓み復帰して前記係合孔縁部５に係合突起６が確固に嵌合することとなる。
【００２６】
従って、筒状部材３に係合部材４を単に挿入するだけで、この筒状部材３と係合部材４とを連結固定することができ、即ち、筒状部材３に設けた自転回動自在の掛杆部材１と係合部材４に設けた揺動回動自在の掛杆部材２とを上下に極めて容易に連結することができる。
【００２７】
しかも、筒状部材３及び係合部材４は、樹脂成形により容易に形成することができるため、コスト安に製造することが可能で、簡易な構成のため秀れた量産性を発揮することもできる。
【００２８】
更に言えば、本実施例では、筒状部材３及び係合部材４を樹脂成形により形成する構成のため、この筒状部材３と係合部材４とを上下に連結させることとなる前記係合孔縁部５や係合突起６を容易に形成することができ、しかも係合部材４については、断面Ｕ字状に形成することで樹脂の弾性作用を利用して前記係合孔縁部５に係合突起６を嵌合係止し得るように構成することができ、つまり、簡易な構成で製造が容易でありながら、掛杆部材１，２を上下に確固に連結することができる。しかも、断面Ｕ字状の係合部材４は、上部開口側から下部折り返し部位側に向けて前記断面略Ｗ形状の掛杆部材２を単に挿入するだけで、係合部材４に断面略Ｗ形状の掛杆部材２を揺動回動自在に設けることができる。
【００２９】
つまり、本実施例の係合部材４を前記筒状部材３に挿入し得る断面Ｕ字状に形成したことで、筒状部材３と係合部材４とを従来に比べ飛躍的に容易に連結することができ、よって、これまで構造が複雑となったりコストがかかる等のため実用性に劣っていた、前記掛杆部材１，２を上下に連結する掛具を、簡易な構成で容易且つコスト安に製造することができる。
【００３０】
また、本実施例の掛具は、自転回動自在の掛杆部材１と揺動回動自在の掛杆部材２とを上下に連結した構成としたことで、一方の掛杆部材１を物干しポール等の係止部に引っ掛けて吊り下げ、他方の掛杆部材２に吊下物若しくは吊下物のフック等を引っ掛けて吊り下げた際に、たとえ様々な方向から強い風が吹いて吊下物等が方々へ揺れたとしても、一方の掛杆部材１は回転自在であり他方の掛杆部材２は揺動自在であることで、夫々の掛杆部材１，２が様々な動作を実現して吊下物等の揺れを良好に抑えることができ、これにより、物干しポールから掛具が外れて地面に落ちてしまったり、掛杆部材２から吊下物等が外れて地面に落下してしまうことが極めて起こりづらい画期的な掛具となる。
【００３１】
図１〜図４に示す第二実施例では掛杆部材１，２として双方ともフック状の金属製フック杆を採用し、上下に配するこのフック杆１，２を夫々回動自在に連結した構成としたものであって、一方の樹脂製の筒状部材３（以下、第一筒状部材３とする）に一方の掛杆部材１の基端部１Ａを回動自在にして外方へ抜け止め状態に設け、他方の樹脂製の係合部材４となる筒状部材４（以下、第二筒状部材４とする）に他方の掛杆部材２の基端部２Ａを回動自在にして外方へ抜け止め状態に設けている。そして、この第一筒状部材３と第二筒状部材４とを互いに上下から差し込み嵌合する形状に構成すると共に、この第一筒状部材３と第二筒状部材４との一方に窓孔を形成して係合孔縁部５を他方に係合突起６を設けて嵌合係止構造７を設けて、第一筒状部材３と第二筒状部材４とを嵌合することで嵌合係止構造７の係合孔縁部５に係合突起６が係止して嵌合係止固定され第一筒状部材３と第二筒状部材４とが連結する構成としている。
【００３２】
具体的には、樹脂成形される前記第一筒状部材３，第二筒状部材４は、夫々連結側が開口し反対側の外方へは挿通孔８を設けた底部９を有する筒状体に構成し、この挿通孔８に前記掛杆部材１，２の直杆状の基端部１Ａ，２Ａを挿通配設し、この基端部１Ａ，２Ａに前記挿通孔８を通過できない抜け止め径大部10をプレスなどによって設けて、前記第一筒状部材３，第二筒状部材４に対して前記掛杆部材１，２が夫々回動自在にして外方へ抜け止め状態となる構成としている。
【００３３】
また、前記係合孔縁部５は、前述のように第一筒状部材３若しくは第二筒状部材４の周面部に窓孔を開口形成することで形成し、前記係合突起６も周面部に前記窓孔に係合して前記係合孔縁部５に係止するように突設形成している。また、この係合突起６は、連結側となる内方と反対の外方へ向かって徐々に径大となるテーパ面６Ａを有し且つ外側端には前記係合孔縁部５に抜け止め係止する係止段面６Ｂを有するテーパ突起形状に形成している。
【００３４】
また、本実施例では、係合突起６を設けた第一筒状部材３若しくは第二筒状部材４に、この係合突起６が筒体内側へ撓み微動することを許容する溝11を形成しているが、この溝11は図２に示すように連結側開口部から内方側へ向かって割溝11として対向形成しても良いし、図４に示すように係合突起６が筒体内側へ撓み微動するように係合突起６の周囲に設けても良い。
【００３５】
従って、夫々フック杆１，２を回動自在にして外方へ抜け止め状態に設けた第一筒状部材３と第二筒状部材４、即ち、外方へフック杆１，２が夫々突出している樹脂製の第一筒状部材３と第二筒状部材４とを単に差し込み嵌合すると、割溝11によって係合突起６は筒体内方へ少し撓みながら、テーパ面６Ａが内面に沿って嵌合して行き、係合突起６が係合孔縁部５に達したところで、撓み復帰によって係合突起６は窓孔に係合して係合突起６の係止段面６Ｂが係合孔縁部５に係止し抜け止め固定され、第一筒状部材３と第二筒状部材４とは組み付け固定される。
【００３６】
図５〜図７に示す第三実施例は、双方の掛杆部材１，２を回動自在とせず、一方の筒状部材３（以下、第一筒状部材３とする）には掛杆部材１を樹脂により一体成形し、組み付けた場合、他方の係合部材４となる筒状部材４（以下、第二筒状部材４とする）に設けた金属製の掛杆部材２が回動自在となるように構成した実施例である。
【００３７】
本実施例の他の構成は、符号で示したように前記第二実施例と同様の構成である。
【００３８】
従って、樹脂成形した掛杆部材１と一体の第一筒状部材３と、フック杆２が回動自在に突出している第二筒状部材４とを単に差し込み嵌合するだけで、割溝11によって係合突起６は筒体内方へ少し撓みながら、テーパ面６Ａが内面に沿って嵌合して行き、係合突起６が係合孔縁部５に達したところで、撓み復帰によって係合突起６は窓孔に係合して係合突起６の係止段面６Ｂが係合孔縁部５に係止し抜け止め固定され、掛杆部材２は回動自在となる。
【００３９】
【発明の効果】
本発明は上述のように構成したから、フック杆などの掛杆部材を上下に連結し得る掛具であって、簡易な構成にして組み付け製作も極めて容易で、量産性に秀れ安価な製品を提供できる実用性に秀れた画期的な掛具となる。
【００４０】
即ち、簡単に樹脂成形できる一方の筒状部材に一方の掛杆部材を設け、同じく簡単に樹脂成形できる他方の係合部材に他方の掛杆部材を設け、この一方の筒状部材に係合孔縁部を他方の係合部材に係合突起を設けた構成としたため、単に筒状部材に係合部材を挿入するだけで前記係合孔縁部に係合突起を嵌合でき、筒状部材と係合部材とを嵌合係止固定して前記夫々の掛杆部材を上下に容易に連結することができ、しかも、前記夫々の掛杆部材を上下に連結可能とする前記係合孔縁部及び係合突起は樹脂成形により極めて容易に形成できる量産性に秀れ、実用性に秀れた画期的な掛具となる。
【００４１】
また、簡単に樹脂成形できる少なくとも一方の筒状部材に一方の掛杆部材を設け、この筒状部材に挿入し得る形状に形成した他方の樹脂製の係合部材に他方の掛杆部材を自転回動自在若しくは揺動回動自在に設けることで、この筒状部材に係合部材を単に挿入するだけで、少なくともいずれか一方の掛杆部材が自転回動自在若しくは揺動回動自在となる前記掛杆部材を上下に連結した掛具を簡易な構成にして容易に製作できる画期的な掛具となる。
【００４２】
また、樹脂の弾性作用を利用した前記筒状部材と係合部材との嵌合係止固定が一層スムーズに行われる。
【００４３】
また、請求項３記載の発明においては、前記係合部材を、前記一方の筒状部材に挿入し得る断面Ｕ字状に形成した構成としたため、この係合部材の遊離端部、即ち、Ｕ状片部が樹脂の弾性作用によって可動自在となり、筒状部材に係合部材を挿入した際、前記Ｕ状片部が弾性可動して（即ち撓んで）前記係合孔縁部に係合突起が確実に嵌合して前記筒状部材と係合部材とが一層容易且つ確実に連結されることとなり、よって、前記筒状部材に係合部材を単に挿入するだけで前記掛杆部材１，２を上下に連結した掛具を確実に実現できることとなる量産性に秀れ実用性に秀れた画期的な掛具となる。
【００４４】
また、請求項４記載の発明においては、簡単に樹脂成形できる一方の筒状部材に一方の掛杆部材を回動自在に設け、同じく簡単に樹脂成形できる他方の係合部材に他方の掛杆部材を自転回動自在若しくは揺動回動自在に設けた構成としたため、一方の自転回動自在の掛杆部材と他方の自転回動自在若しくは揺動回動自在の掛杆部材とを上下に連結した実用性に秀れた掛具を単に筒状部材と係合部材とを互いに差し込み係合するだけで極めて容易に製作することができる画期的な掛具となる。
【００４５】
また、請求項５記載の発明においては、簡単に樹脂成形できる一方の筒状部材に一方の掛杆部材を回動自在に設け、同じく簡単に樹脂成形できる他方の係合部材に他方の掛杆部材を揺動回動自在に設けた構成としたため、一方の自転回動自在の掛杆部材と他方の揺動回動自在の掛杆部材とを上下に連結した実用性に秀れた掛具を単に筒状部材と係合部材とを互いに差し込み係合するだけで、極めて容易に製作することができる画期的な掛具となる。
【図面の簡単な説明】
【図１】  第二本実施例の正面図である。
【図２】  第二本実施例の要部の拡大分解斜視図である。
【図３】  第二本実施例の正断面図である。
【図４】  第二実施例の溝の別例を示す要部の拡大分解斜視図である。
【図５】  第三実施例の正面図である。
【図６】  第三実施例の要部の拡大分解斜視図である。
【図７】  第三実施例の側断面図である。
【図８】  第一実施例の正面図である。
【図９】  第一実施例の要部の拡大分解斜視図である。
【図１０】  第一実施例の係止部材に対して掛杆部材が揺動自在であることを示す説明側断面図である。
【符号の説明】
１  掛杆部材
１Ａ  基端部
２  掛杆部材
２Ａ 基端部
３  筒状部材
４  係合部材
４Ａ  Ｕ状片部
５  係合孔縁部
６  係合突起
６Ａ  テーパ面
６Ｂ  係止段面
７  嵌合係止構造
11 割溝
【図１】
0003841207.tif 000002
【図２】
0003841207.tif 000003
【図３】
0003841207.tif 000004
【図４】
0003841207.tif 000005
【図５】
0003841207.tif 000006
【図６】
0003841207.tif 000007
【図７】
0003841207.tif 000008
【図８】
0003841207.tif 000009
【図９】
0003841207.tif 000010
【図１０】
0003841207.tif 000011